(57)【要約】      （修正有）【課題】電極本体を構成する液室ケースの液室内に満たされる液体の蒸発や漏洩を防止する液中微小電位測定用電極装置を提供する。【解決手段】電極本体１を構成する液室ケース１０の内部に、電極素子１４と、この電極素子１４の周囲に形成される液室１８とを備え、Ｎａｃｌ水溶液等が満たされた液室１８の液導入側と外部間にフィルタ１１を配置し、シール部材を液室ケース１０の端部外周部に適宜の接着剤により貼り付けて、液室ケース１０の液室１８の液導入側を封止する。【選択図】図２
0003191684.tif 000002
【実用新案登録請求の範囲】
【請求項１】
電極本体を構成する液室ケースの内部に、電極素子と、この電極素子の周囲に形成される液室とを備え、液室の液導入側と外部間にフィルタを配置するとともに、液室ケースの液室の液導入側をフィルム状のシール部材で封止するようにしたことを特徴とする液中微小電位測定用電極装置。
【請求項２】
前記シール部材の一部にはみ出し部を形成したことを特徴とする請求項１記載の液中微小電位測定用電極装置。
【請求項３】
前記シール部材が樹脂製であることを特徴とする請求項１または請求２記載の液中微小電位測定用電極装置。
【考案の詳細な説明】
【技術分野】
【０００１】
本考案は、液中の微小電位を測定する場合に使用する液中微小電位測定用電極装置に関する。
【背景技術】
【０００２】
水中での２点間の電位を測定するために、２個の電極を水中に入れ、その電極間の微小電位差を別に設けたデータ処理装置で収集するという方法がある。
このような水中の微小電位測定には、図２に示すとおり、電極本体１を構成するポリ塩化ビニルやポリエーテルエーテルケトン（ＰＥＥＫ）樹脂製の筒状の液室ケース１０を有し、この筒状の液室ケース１０の内部に、支持体１５によって支持される電極素子１４と、この電極素子１４の周囲に形成される液室１８とを備え、更に液室ケース１０の液室１８の液導入側に多孔質、例えば不織布フィルタ１１を備え、フィルタ１１をフィルタ押えリング１２により液室ケース１０のツバ部（図示省略）へ圧接する構造の電極装置が知られている。なお、１６は信号取り出し用ケーブルである。（例えば、特許文献１参照）
【０００３】
また、電極本体１には、非使用時に液室１８に導入された液体がフィルタ１１を通って蒸発するのを防止し、更に液室１８内の液体の漏洩を阻止するために、抜け止め用Ｏリング１７を介してキャップ１３が液室ケース１０の液導入側に緊密にはめ込まれている。  
【０００４】
上記構成の電極装置において、水中での微小電位測定の開始にあたっては、液室ケース１０の液導入側にはめ込まれたキャップ１３を引き抜いて取り外す必要がある。このとき無理に力を加え、キャップ１３を取り外す方向がわずかでも斜めになると、電極本体１のフィルタ押えリング１２やフィルタ１１も一緒に外れることがあった。また、キャップ１３は抜け止め用Ｏリング１７で固定しているため、引き抜きに力が必要であった。
【先行技術文献】
【特許文献】
【０００５】
【特許文献１】特開２０１０−１９８１５号公報
【考案の概要】
【考案が解決しようとする課題】
【０００６】
従来の電極装置では、液室内の液体の蒸発防止や漏洩阻止のために液室ケースの液導入側にはめ込まれたキャップを取り外す場合に電極本体のフィルタ押えリングやフィルタも一緒に抜けてしまうと、これが原因で電極装置が使用不能になるおそれがあった。このような不具合を生じさせないためには、キャップを上手く取り外さなければならないが、これが意外に難しく訓練や熟練を要していた。そのため、水中での微小電位測定の開始にも手間取り、スムースな測定を阻害していた。
【０００７】
本考案は、上記従来技術の課題を解決するため、液室ケースの液導入側にはめ込むキャップ構造を改良し、簡易な構成により液室内の液体の蒸発防止や漏洩阻止ができるようにした液中微小電位測定用電極装置を提供することを目的としている。
【課題を解決するための手段】
【０００８】
上記課題を解決するため、本考案の好ましい実施形態による液中微小電位測定用電極装置は、電極本体を構成する液室ケースの内部に、電極素子と、この電極素子の周囲に形成される液室とを備え、液室の液導入側と外部間にフィルタを配置するとともに、液室ケースの液室の液導入側をフィルム状のシール部材で封止するようにしたものである。
上記構成において、シール部材は液室ケースの端部外周部に適宜の接着剤により貼り付けることができる。
【０００９】
また、好ましい実施形態において、液中微小電位測定用電極装置は、シール部材の一部にはみ出し部を形成するようにしたものである。
この場合、はみ出し部は、測定者が指で把持できる大きさであれば十分であり、形状は問われない。
【００１０】
さらに、好ましい実施形態においては、液中微小電位測定用電極装置は、シール部材を樹脂製にて構成するようにしたものである。
この場合、シール部材を構成する樹脂は、金属でなければ適宜のものを適用することができる。
【考案の効果】
【００１１】
本考案の液中微小電位測定用電極装置によれば、フィルム状のシール部材を液室ケースの端部外周部に適宜の接着剤により貼り付けて液室ケースの液室の液導入側を封止するので、水中での微小電位測定の開始にあたっては、シール部材をはがすだけでよく、不慣れな測定者であっても容易に当該作業を行うことができる。
また、シール部材の一部にはみ出し部を形成しているので、シール部材を容易くはがすことができる。
更に、シール部材が樹脂製であるので、液室に導入される液体、例えばＮａｃｌによりシール部材が腐食することがない。
【図面の簡単な説明】
【００１２】
【図１】本考案の液中微小電位測定用電極装置の実施形態の一例を示す斜視図である。
【図２】従来の液中微小電位測定用電極装置の概要構成を示す縦断面図である。
【考案を実施するための形態】
【００１３】
以下、図面を参照して本考案の液中微小電位測定用電極装置の実施形態の一例について説明する。
本考案の液中微小電位測定用電極装置の基本的構成は周知であり、図２に示すとおりである（但しキャップ３の構造は図１に示すシール部材に置き換えられる）。
すなわち、電極本体１は、ポリ塩化ビニルやＰＥＥＫ樹脂製の筒状の液室ケース１０を備え、この筒状の液室ケース１０の内部に支持体１５によって支持される電極素子１４を有し、この電極素子１４の周囲に形成される液室１８には、例えば３．５％のＮａｃｌ水溶液が満たされる。また、液室ケース１０の液室１８の液導入側には多孔質、例えば多孔質ガラスや不織布製のフィルタ１１がフィルタ押えリング１２により液室ケース１０のツバ部（図示省略）へ圧接保持される。なお、１６は信号取り出し用ケーブルである。
【００１４】
また、電極本体１には、非使用時に、液室１８に満たされたＮａｃｌ水溶液がフィルタ１１を通って蒸発するのを防止し、更には液室１８内のＮａｃｌ水溶液の漏洩を阻止するために、キャップが液室ケース１０の液導入側に緊密に取り付けられる。
【００１５】
本考案の液中微小電位測定用電極装置では、液室ケース１０の液導入側に取り付けられるキャップ構造を改良したものである。図１により本考案の液中微小電位測定用電極装置の実施形態の一例について説明する。
図１に示すとおり、本考案の液中微小電位測定用電極装置では、液室ケース１０の液室１８の液導入部をシール部材２で封止するようにした構造である。シール部材２は、液室ケース１０の液導入部と概略同じ形状（図１では円形）のフィルム状（薄膜状）に形成されている。シール部材２は液室ケース１０の端部外周部に適宜の接着剤により貼り付けることができる。
【００１６】
また、シール部材２の一部には、はみ出し部３が形成されており、はみ出し部３は測定者が指で把持できる大きさであれば十分であって形状は問われない。はみ出し部３は、液室ケース１０の端部外周部（円形状）から外周方向にはみ出すよう形成された部分である。また、はみ出し部３はシール部材２自体であってもよく、シール部材２と一体的に形成される別部材であってもよい。はみ出し部３は液室ケース１０の端部外周部に接着されていないので、測定者がはみ出し部３を把持して力を加えることでシール部材３を容易に液室ケース１０から剥離させることができる。
更に、シール部材２は、好ましくは、金属でなければ適宜のものを適用することができるが、例えばポリエチレン等の樹脂製で構成される。
【符号の説明】
【００１７】
１  電極本体
２  シール部材
３  はみ出し部
１０  液室ケース
１１  フィルタ
１２  フィルタ押えリング
１３  キャップ
１４  電極素子
１５  支持体
１６  信号取り出し用ケーブル
１７  抜け止め用Ｏリング
１８  液室
【図１】
0003191684.tif 000003
【図２】
0003191684.tif 000004